(57)【要約】【課題】電線圧着端子のヒューズと接続する端子部の間隔を狭めてヒューズを高密度化する。【解決手段】電気接続箱２０のヒューズ収容部２２に一定のピッチで並列配置される複数のヒューズ３０の入力端子３１とそれぞれ接続される電線圧着端子１０Ａ、１０Ｂを連鎖状端子材９から形成しており、該連鎖状端子材９は、帯状のキャリア部１１の一端側１１ａからヒューズ３０の配置ピッチと同一ピッチＬ１をあけて音叉状端子部１２を突設する一方、キャリア部１１の他端側１１ｂから芯線バレル１３ａ、１４ａと絶縁被覆バレル１３ｂ、１４ｂとからなる太物電線圧着部１３と細物電線圧着部１４を上記ピッチＬ１よりも大きいピッチＬ２で突設している。【選択図】  図１
2005078813.tif 000002
【特許請求の範囲】
【請求項１】
電気接続箱のヒューズ収容部に一定のピッチで並列配置される複数のヒューズの入力端子とそれぞれ接続される電線圧着端子を連鎖状端子材から形成しており、
該連鎖状端子材は、帯状のキャリア部の一端側から上記ヒューズの配置ピッチと同一ピッチをあけて入力端子接続用端子部を突設する一方、上記キャリア部の他端側から芯線バレルと絶縁被覆バレルとからなる電線圧着部を突設し、該電線圧着部は太物電線圧着部と細物電線圧着部を上記ピッチとは異なるピッチで突設し、入力端子接続用端子部と電線圧着部とがオフセットしている各電線圧着端子として上記連鎖状端子材のキャリア部を切断して形成しているヒューズ接続用の電線圧着端子。
【請求項２】
上記ヒューズ収容部に配置されるヒューズは２個で、一方のヒューズの入力端子には太物電線と接続される上記太物電線圧着端子が接続される一方、他方のヒューズの入力端子には細物電線と接続される上記細物電線圧着端子が接続され、これら太物電線圧着端子と細物電線圧着端子とは上記連鎖状端子材のキャリアの長さ方向の両側に形成され、その中間部を切断して個別に電線に圧着されるものとしている請求項１に記載のヒューズ接続用の電線圧着端子。
【発明の詳細な説明】
【０００１】
【発明の属する技術分野】
本発明は、ヒューズ接続用の電線圧着端子に関し、詳しくは、電気接続箱に搭載するヒューズの高密度化を図るものである。
【０００２】
【従来の技術】
従来、自動車に搭載する電気接続箱において、入力側電線とヒューズの入力側端子の接続には、入力側電線に圧着する電線圧着部とヒューズの入力端子に接続する端子部を備えた電線圧着端子が使用されており、本出願人は、実開平５−７３８４２号において、図３に示す複数の電線圧着端子１を並設した連鎖状端子材２を開示している。該連鎖状端子材２は帯状のキャリア部３の一端側から複数の電線圧着端子１を突設しており、該電線圧着端子１は基部側に電線圧着部４を設けると共に、先端側に端子部５を電線圧着部４と同一直線上に設けている。
【０００３】
【特許文献１】
実開平５−７３８４２号公報
【０００４】
【発明が解決しようとする課題】
しかしながら、上記連鎖状端子材２は一枚の導電性金属板を所要形状に打ち抜いてから、折り曲げ加工により形成しているため、展開形状の連鎖状端子材２を導電性金属板から打ち抜くには、隣接する電線圧着端子１を所要間隔Ｌ３をあけて設ける必要がある。そのため、電線圧着端子１の端子部５に接続するヒューズも電線圧着端子１の間隔Ｌ３に合わせて電気接続箱に収容しなければならずヒューズを高密度化することができないという問題がある。
【０００５】
本発明は上記問題に鑑みてなされたものであり、電線圧着端子のヒューズと接続する端子部の間隔を狭めてヒューズを高密度化することを課題としている。
【０００６】
【課題を解決するための手段】
上記課題を解決するため、本発明は、電気接続箱のヒューズ収容部に一定のピッチで並列配置される複数のヒューズの入力端子とそれぞれ接続される電線圧着端子を連鎖状端子材から形成しており、
該連鎖状端子材は、帯状のキャリア部の一端側から上記ヒューズの配置ピッチと同一ピッチをあけて入力端子接続用端子部を突設する一方、上記キャリア部の他端側から芯線バレルと絶縁被覆バレルとからなる電線圧着部を突設し、該電線圧着部は太物電線圧着部と細物電線圧着部を上記ピッチとは異なるピッチで突設し、入力端子接続用端子部と電線圧着部とがオフセットしている各電線圧着端子として上記連鎖状端子材のキャリア部を切断して形成しているヒューズ接続用の電線圧着端子。
【０００７】
上記構成とすると、帯状のキャリア部の一端側から上記ヒューズの配置ピッチと同一ピッチをあけて入力端子接続用端子部を突設する一方、上記キャリア部の他端側から入力端子接続用端子部と異なるピッチで電線圧着部を突設しているため、電線圧着部のピッチが大きくなる場合にも、入力端子接続用端子部のピッチを小さくすることができる。よって、電気接続箱に収容するヒューズを入力端子接続用端子部のピッチに合わせて高密度化することができる。特に、電線圧着部に接続する電線が太物電線であると、電線圧着部の展開形状が大きくなるが、それにもかかわらず入力端子接続用端子部のピッチを小さくすることができ、ヒューズを高密度化することができる。
【０００８】
上記ヒューズ収容部に配置されるヒューズは２個で、一方のヒューズの入力端子には太物電線と接続される上記太物電線圧着端子が接続される一方、他方のヒューズの入力端子には細物電線と接続される上記細物電線圧着端子が接続され、これら太物電線圧着端子と細物電線圧着端子とは上記連鎖状端子材のキャリア部の長さ方向の両側に形成され、その中間部を切断して個別に電線に圧着されるものとしている。
【０００９】
ヒューズ収容部に配置されるヒューズが２個の場合、キャリア部の切断位置の両側に２個の入力端子接続用端子部を近接させて設け、連鎖状端子材を切断して形成した２個の電線圧着端子を電気接続箱に収容すると、２個の入力端子接続用端子部を近接した状態とすることができるため、ヒューズを最も密接させた状態でヒューズ収容部に収容することができる。
【００１０】
【発明の実施の形態】
以下、本発明の実施の形態を図面を参照して説明する。
図１及び図２は、本発明の実施形態を示す。
導電性金属板を打ち抜いて形成した連鎖状端子材９は、電気接続箱２０のヒューズ収容部２２に収容するヒューズ３０の入力端子３１と入力側電線ｗ１、ｗ２とを接続する電線圧着端子１０Ａ，１０Ｂを一体的に設けている。
【００１１】
上記連鎖状端子材９は、図１に示すように、帯状のキャリア部１１の一端側１１ａから電気接続箱に収容するヒューズ３０の配置ピッチと同一ピッチＬ１をあけて先端から端子挿入溝１２ａを設けた音叉状端子部（入力端子接続用端子部）１２を２つ突設している。一方、キャリア部１１の他端側１１ｂから芯線バレル１３ａ、１４ａと絶縁被覆バレル１３ｂ、１４ｂとからなる太物電線圧着部１３、細物電線圧着部１４を突設している。太物電線ｗ１にかしめ圧着する太物電線圧着部１３の芯線バレル１３ａと絶縁被覆バレル１３ｂは、細物電線にかしめ圧着する細物電線圧着部１４の芯線バレル１４ａと絶縁被覆バレル１４ｂよりも長尺としている。また、太物電線圧着部１３と細物電線圧着部１４のピッチＬ２は、音叉状端子部１２のピッチＬ１よりも大きくして、音叉状端子部１２と太物電線圧着部１３、細物電線圧着部１４とはそれぞれ一直線上に設けていない。
【００１２】
連鎖状端子材９を、図１中の音叉状端子部１２間の破線位置で切断し、音叉状端子部１２と太物電線圧着部１３、細物電線圧着部１４とがオフセットしている２つの電線圧着端子１０Ａ、１０Ｂを形成している。
図２に示すように、連鎖状端子材９を切断して形成した電線圧着端子１０Ａの芯線バレル１３ａを太物電線ｗ１の芯線にかしめ圧着すると共に、絶縁被覆バレル１３ｂを太物電線ｗ１の絶縁被覆にかしめ圧着して、電線圧着端子１０Ａに太物電線ｗ１を接続している。同様に、電線圧着端子１０Ｂの芯線バレル１４ａを細物電線ｗ２の芯線にかしめ圧着すると共に、絶縁被覆バレル１４ｂを細物電線ｗ２の絶縁被覆にかしめ圧着して、電線圧着端子１０Ｂに細物電線ｗ２を接続している。
【００１３】
上記のように太物電線ｗ１と細物電線ｗ２を接続した電線圧着端子１０Ａ、１０Ｂはそれぞれ電気接続箱２０の端子収容室２１に収容係止されており、ヒューズ収容部２２に収容するヒューズ３０の入力端子３１が電線圧着端子１０Ａ，１０Ｂの音叉状端子部１２の端子挿入溝１２ａに挿入されて、電線圧着端子１０Ａ、１０Ｂとヒューズ３０の入力端子３１が接続されている。一方、ヒューズ３０の出力端子（図示せず）は負荷側電線の端末の端子と接続されている。
【００１４】
上記構成とすると、帯状のキャリア部１１の一端側１１ａから突設する音叉状端子部１２のピッチをキャリア部１１の他端側１１ｂから突設する太物電線圧着部１３と細物電線圧着部１４のピッチよりも小さくしているため、電気接続箱２０に収容するヒューズ３０を音叉状端子部１２のピッチに合わせて高密度化することができる。本実施形態では、太物電線圧着部１３に太物電線ｗ１を接続しているため電線圧着部１３、１４間のピッチが大となるが、音叉状端子部１２と電線圧着部１３、１４をオフセットしてピッチを小さくすることができヒューズ３０を高密度化することができる。
なお、本実施形態では、１つの連鎖状端子材に音叉状端子部と電線圧着部を２個ずつ設けているが、３個ずつ以上設けてもよい。
【００１５】
【発明の効果】
以上の説明より明らかなように、本発明によれば、ヒューズの入力端子と接続する入力端子接続用端子部と入力側電線と接続する電線圧着部を備えた連鎖状端子材において、帯状のキャリア部の一端側からヒューズの配置ピッチと同一ピッチをあけて入力端子接続用端子部を突設する一方、上記キャリア部の他端側から入力端子接続用端子部と異なるピッチで電線圧着部を突設しているため、電線圧着部のピッチが大きくなる場合にも、入力端子接続用端子部のピッチを小さくすることができる。該連鎖状端子材のキャリア部を切断することにより入力端子接続用端子部と電線圧着部をオフセットしている電線圧着端子を形成して電気接続箱に収容し、ヒューズの入力端子と接続すれば、入力端子接続用端子部のピッチに合わせてヒューズを高密度化することができる。
【図面の簡単な説明】
【図１】本発明の実施形態の連鎖状端子材の正面図である。
【図２】電線圧着端子を介して入力側電線とヒューズの入力端子を接続した状態を示す図面である。
【図３】従来例を示す図面である。
【符号の説明】
９  連鎖状端子材
１０Ａ、１０Ｂ  電線圧着端子
１１  キャリア部
１２  音叉状端子部
１３  太物電線圧着部
１４  細物電線圧着部
１３ａ、１３ｂ  芯線バレル
１３ｂ、１４ｂ  絶縁被覆バレル
２０  電気接続箱
２１  端子収容室
２２  ヒューズ収容部
３０  ヒューズ
【図１】
2005078813.tif 000003
【図２】
2005078813.tif 000004
【図３】
2005078813.tif 000005